(57)【要約】  監視制御画面が作成される際に不適切な接続線が作成されることを抑制することができ、監視制御画面を効率的に作成することができるようにする。監視制御画面の作成支援装置において、監視制御画面がディスプレイに表示される。ディスプレイには、単線結線図が描画される。単線結線図は、電力系統に備えられる複数の設備をそれぞれ表現する複数の描画要素を備える。複数の描画要素に含まれる描画要素と複数の描画要素に含まれる少なくともひとつの描画要素を含む特殊描画要素とを接続することが要求された場合に、描画要素と特殊描画要素とを接続可能であるか否かが判定される。描画要素と特殊描画要素とが接続可能であると判定された場合に、描画要素と特殊描画要素とを接続する接続線が生成され、接続線が表示される複数の描画要素に追加される。
2020016920.tif 000002
【特許請求の範囲】
【請求項１】
電力系統に備えられる複数の設備をそれぞれ表現する複数の描画要素（１２４０）を備える単線結線図（１２２０）が描画された監視制御画面（１２００）をディスプレイに表示させる画面表示部（１１００）と、
前記複数の描画要素（１２４０）に含まれる描画要素（１１２０）と前記複数の描画要素（１２４０）に含まれる少なくともひとつの描画要素を含む特殊描画要素（１１２２）とを接続することが要求された場合に、前記描画要素（１１２０）と前記特殊描画要素（１１２２）とを接続可能であるか否かを判定する接続可否判定部（１１０２）と、
前記接続可否判定部（１１０２）が前記描画要素（１１２０）と前記特殊描画要素（１１２２）とを接続可能であると判定した場合に、前記描画要素（１１２０）と前記特殊描画要素（１１２２）とを接続する接続線（１２６４）を生成し、前記接続線（１２６４）を前記複数の描画要素（１２４０）に追加する接続線生成部（１１０４）と、
を備える監視制御画面の作成支援装置（１０００，２０００，３０００，４０００，５０００）。
【請求項２】
前記接続可否判定部（１１０２）は、前記描画要素（１１２０）により表現される設備と前記特殊描画要素（１１２２）により表現される少なくともひとつの設備とを電気的に接続可能である場合に、前記描画要素（１１２０）と前記特殊描画要素（１１２２）とを接続可能であると判定する
請求項１の監視制御画面の作成支援装置（１０００，２０００，３０００，４０００，５０００）。
【請求項３】
前記複数の描画要素（１２４０）に既存の描画要素（２０６０）、及び前記既存の描画要素（２０６０）に接続された既存の特殊描画要素（２０６２）が含まれる場合に、前記既存の特殊描画要素（２０６２）の複製（２１００）を作成し、前記既存の特殊描画要素（２０６２）の複製（２１００）を前記複数の描画要素（１２４０）に追加する複製生成部（２０２０）
をさらに備え、
前記接続線生成部（１１０４）は、前記既存の描画要素（２０６０）と前記既存の特殊描画要素（２０６２）の複製（２１００）とを接続する新たな接続線（２１０２）を生成し、前記新たな接続線（２１０２）を前記複数の描画要素（１２４０）に追加する
請求項１又は２の監視制御画面の作成支援装置（２０００）。
【請求項４】
前記複数の描画要素（１２４０）に含まれる少なくともひとつの既存の特殊描画要素（３０６０）と接続可能であり母線を表現する新たな描画要素（３１００）を生成し、前記新たな描画要素（３１００）を前記複数の描画要素（１２４０）に追加する母線生成部（３０２０）
をさらに備える請求項１から３までのいずれかの監視制御画面の作成支援装置（３０００，４０００，５０００）。
【請求項５】
前記接続線生成部（１１０４）は、前記新たな描画要素（３１００）と前記少なくともひとつの既存の特殊描画要素（３０６０）とをそれぞれ接続する少なくともひとつの新たな接続線（３１０２）を生成し、前記少なくともひとつの新たな接続線（３１０２）を前記複数の描画要素（１２４０）に追加する
請求項４の監視制御画面の作成支援装置（３０００，４０００，５０００）。
【請求項６】
前記少なくともひとつの既存の特殊描画要素（３０６０）は、複数の既存の特殊描画要素（３０６０）であり、
前記母線生成部（３０２０）は、前記複数の既存の特殊描画要素（３０６０）を整列させる
請求項４又は５の監視制御画面の作成支援装置（４０００）。
【請求項７】
前記複数の描画要素（１２４０）に母線を表現する描画要素（５０４０）、及び前記母線を表現する描画要素（５０４０）と接続された既存の特殊描画要素（５０４２）が含まれ、前記既存の特殊描画要素（５０４２）を、前記母線を表現する描画要素（５０４０）が伸びる方向（ＤＨ）について前記母線を表現する描画要素（５０４０）が存在する範囲外に移動することが要求された場合に、前記母線を表現する描画要素（５０４０）を延長する母線生成部（３０２０）
をさらに備える請求項１から６までのいずれかの監視制御画面の作成支援装置（５０００）。
【発明の詳細な説明】
【技術分野】
【０００１】
本発明は、単線結線図が描画された監視制御画面の作成を支援する監視制御画面の作成支援装置に関する。
【背景技術】
【０００２】
電力系統を監視し制御する監視制御システムのエンジニアリングにおいては、監視され制御される電力系統の単線結線図が描画された監視制御画面が作成される。【０００３】
単線結線図は、電力系統に備えられる複数の設備をそれぞれ表現する複数の描画要素を含む。例えば、単線結線図は、機器、母線、送電線等を表現する描画要素を含む。送電線を表現する描画要素は、接続線と呼ばれる。接続線は、一方の描画要素と他方の描画要素とを接続し、一方の描画要素と他方の描画要素との接続関係を表現する。接続線は、一方の機器を表現する一方の描画要素と他方の機器を表現する他方の描画要素とを接続する場合もあるし、機器を表現する一方の描画要素と母線を表現する他方の描画要素とを接続する場合もある。【０００４】
大規模な単線結線図が描画された監視制御画面が作成される場合は、多数の描画要素対に含まれる各描画要素対について、各描画要素対を構成する一方の描画要素と各描画要素対を構成する他方の描画要素とを接続する接続線を作成しなければならない。このため、多数の接続線を作成しなければならない。そのような場合であっても、監視制御画面が作成されるのに先立って多数の描画要素の間の接続関係を特定するデータが入力されている場合は、入力されたデータを監視制御画面を作成する際に取り込むことにより、多数の接続線を自動的に作成することができる。【０００５】
特許文献１に記載された電力系統設備情報生成装置においては、電力系統設備間の関連を表す情報が入力データから自動作成される（発明の名称及び要約）。当該入力データは、多数の描画要素の間の接続関係を特定するデータとして利用することができる。【０００６】
特許文献２に記載された電力系統監視制御システムのフレームデータ編集方法においては、画面上のシンボルが単体で扱われず、それぞれの接続関係を含めた形での複数個のコピーを目的とし、画面編集専用のフレーム構造が作成される（段落０００７）。単線結線図が作成される場合に各フレームの複製が作成されるときには、種類スロットと接続関係スロットだけがそのままコピーされ、表示座標スロットが予め求めておかれた相対座標を元に計算され格納される（段落００１２及び００１８）。これにより、接続関係を含めた形での複数個のコピーが可能となる（段落００２４）。
【先行技術文献】
【特許文献】
【０００７】
【特許文献１】特開２００１−２５１７６３号公報
【特許文献２】特開平８−６５９２４号公報
【発明の概要】
【発明が解決しようとする課題】
【０００８】
現実の監視制御システムのエンジニアリングにおいては、監視制御画面が作成されるのと並行して電力系統に備えられる設備に関連するデータが入力されることが多い。また、監視制御画面の仕様を先に確認するために、監視制御画面が初期の段階で作成されることが多い。このため、監視制御画面が作成される際に、多数の接続線を作成することを容易ならしめる多数の描画要素の間の接続関係を特定するデータが入力されていないことも多い。したがって、多数の接続線を手作業で作成しなければならないことも多い。【０００９】
また、特許文献２に記載された電力系統監視制御システムのフレームデータ編集方法が複数個の描画要素を含む集合体の複製に援用された場合は、集合体の複製が作成されるときに、集合体に含まれる接続線の複製が自動的に作成されるが、集合体とそれ以外の描画要素とを接続する接続線の複製は自動的には作成されない。このため、集合体とそれ以外の描画要素とを接続する接続線を手作業で作成しなければならない。【００１０】
しかし、接続線が手作業で作成された場合は、監視制御画面が作成される際に不適切な接続線が作成される危険性が高まる。また、不適切な接続線が作成された状態を解消するために、監視制御画面を作成する作業に手戻りが発生する危険性が高まり、監視制御画面を効率的に作成することができなくなる危険性が高まる。【００１１】
本発明は、この問題に鑑みてなされた。本発明が解決しようとする課題は、監視制御画面が作成される際に不適切な接続線が作成されることを抑制することができ、監視制御画面を効率的に作成することができるようにする監視制御画面の作成支援装置を提供することである。
【課題を解決するための手段】
【００１２】
監視制御画面の作成支援装置は、画面表示部、接続可否判定部及び接続線生成部を備える。【００１３】
画面表示部は、監視制御画面をディスプレイに表示させる。ディスプレイには、単線結線図が描画される。単線結線図は、電力系統に備えられる複数の設備をそれぞれ表現する複数の描画要素を備える。【００１４】
接続可否判定部は、複数の描画要素に含まれる描画要素と複数の描画要素に含まれる少なくともひとつの描画要素を含む特殊描画要素とを接続することが要求された場合に、描画要素と特殊描画要素とを接続可能であるか否かを判定する。【００１５】
接続線生成部は、接続可否判定部が描画要素と特殊描画要素とを接続可能であると判定した場合に、描画要素と特殊描画要素とを接続する接続線を生成し、表示される複数の描画要素に接続線を追加する。
【発明の効果】
【００１６】
本発明によれば、監視制御画面が作成される際に、不適切な接続線が作成されることを抑制することができ、不適切な接続線が作成されたことに起因する手戻りが発生することを抑制することができる。このため、監視制御画面を効率的に作成することができる。【００１７】
この発明の目的、特徴、局面及び利点は、以下の詳細な説明と添付図面とによって、より明白となる。
【図面の簡単な説明】
【００１８】
【図１】実施の形態１−５の監視制御画面の作成支援装置のハードウェアを図示するブロック図である。
【図２】実施の形態１の監視制御画面の作成支援装置を図示するブロック図である。
【図３】実施の形態１の監視制御画面の作成支援装置に表示される監視制御画面を図示する図である。
【図４】実施の形態１の監視制御画面の作成支援装置に表示される特殊描画要素を図示する図である。
【図５】実施の形態１の監視制御画面の作成支援装置に表示される特殊描画要素を図示する図である。
【図６】実施の形態１の監視制御画面の作成支援装置により実行される、監視制御画面を作成するための動作の流れを図示するフローチャートである。
【図７】実施の形態１の監視制御画面の作成支援装置に記憶される判定テーブルの例を図示する図である。
【図８】実施の形態２の監視制御画面の作成支援装置を図示するブロック図である。
【図９】実施の形態２の監視制御画面の作成支援装置に表示される、変化前の監視制御画面の一部を図示する図である。
【図１０】実施の形態２の監視制御画面の作成支援装置に表示される、変化後の監視制御画面の一部を図示する図である。
【図１１】実施の形態２の監視制御画面の作成支援装置により実行される、図９及び図１０に図示されるように監視制御画面を変化させるための動作の流れを図示するフローチャートである。
【図１２】実施の形態３−５の監視制御画面の作成支援装置を図示するブロック図である。
【図１３】実施の形態３の監視制御画面の作成支援装置に表示される、変化前の監視制御画面の一部を図示する図である。
【図１４】実施の形態３の監視制御画面の作成支援装置に表示される、変化後の監視制御画面の一部を図示する図である。
【図１５】実施の形態３の監視制御画面の作成支援装置により実行される、図１３及び図１４に図示されるように監視制御画面を変化させるための動作の流れを図示するフローチャートである。
【図１６】実施の形態４の監視制御画面の作成支援装置に表示される、変化前の監視制御画面の一部を図示する図である。
【図１７】実施の形態４の監視制御画面の作成支援装置に表示される、１次変化後の監視制御画面の一部を図示する図である。
【図１８】実施の形態４の監視制御画面の作成支援装置に表示される、２次変化後の監視制御画面の一部を図示する図である。
【図１９】実施の形態４の監視制御画面の作成支援装置により実行される、図１６、図１７及び図１８に図示されるように監視制御画面を変化させるための動作の流れを図示するフローチャートである。
【図２０】実施の形態５の監視制御画面の作成支援装置に表示される、変化前の監視制御画面の一部を図示する図である。
【図２１】実施の形態５の監視制御画面の作成支援装置に表示される、変化後の監視制御画面の一部を図示する図である。
【図２２】実施の形態５の監視制御画面の作成支援装置により実行される、図２０及び図２１に図示されるように監視制御画面を変化させるための動作の流れを図示するフローチャートである。
【発明を実施するための形態】
【００１９】
１  実施の形態１
１．１  監視制御画面の作成支援装置のハードウェア
図１は、実施の形態１の監視制御画面の作成支援装置のハードウェアを図示するブロック図である。
【００２０】
図１に図示される実施の形態１の監視制御画面の作成支援装置１０００は、パーソナルコンピューター（ＰＣ）１０２０を備える。ＰＣ１０２０は、中央演算処理装置（ＣＰＵ）１０４０、記憶装置１０４２、入力装置１０４４及び出力装置１０４６を備える。記憶装置１０４２には、プログラムが記憶されている。ＰＣ１０２０が、ＰＣ１０２０以外のコンピュータに置き換えられてもよい。作成支援装置１０００がこれらの要素以外の要素を備えてもよい。
【００２１】
ＣＰＵ１０４０は、記憶装置１０４２に記憶されたプログラムを実行し、記憶装置１０４２に記憶されたプログラムに従って演算を行う。
【００２２】
記憶装置１０４２は、プログラムを記憶し、記憶したプログラムを実行する際に必要となる情報を記憶する。
【００２３】
入力装置１０４４は、ＰＣ１０２０への情報の入力を受け付ける。入力装置１０４４は、キーボード、マウス等を備える。
【００２４】
出力装置１０４６は、ＰＣ１０２０からの情報の出力を行う。出力装置１０４６は、出力される情報を表示するディスプレイ等を備える。
【００２５】
１．２  監視制御画面の作成支援装置の概略
図２は、実施の形態１の監視制御画面の作成支援装置を図示するブロック図である。
【００２６】
実施の形態１の監視制御画面の作成支援装置１０００は、図２に図示されるように、画面表示部１１００、接続可否判定部１１０２及び接続線生成部１１０４を備え、描画要素１１２０及び特殊描画要素１１２２を表示する。画面表示部１１００、接続可否判定部１１０２及び接続線生成部１１０４は、記憶装置１０４２に記憶されたプログラムをＣＰＵ１０４０が実行することにより構成される。描画要素１１２０及び特殊描画要素１１２２は、記憶装置１０４２に記憶されたプログラムをＣＰＵ１０４０が実行することにより表示される。ＣＰＵ１０４０がプログラムを実行することにより構成される要素の全部又は一部がプログラムを実行しないハードウェアにより構成されてもよい。作成支援装置１０００が、これらの要素以外の要素を備えてもよい。
【００２７】
画面表示部１１００は、監視制御画面を作成し、作成した監視制御画面をディスプレイに表示させる。監視制御画面には、描画要素１１２０及び特殊描画要素１１２２が描画される。
【００２８】
接続可否判定部１１０２は、描画要素１１２０と特殊描画要素１１２２とを接続することが要求された場合に、描画要素１１２０と特殊描画要素１１２２とを接続可能であるか否かを判定する。
【００２９】
接続線生成部１１０４は、接続可否判定部１１０２が描画要素１１２０と特殊描画要素１１２２とを接続可能であると判定した場合に、描画要素１１２０と特殊描画要素１１２２とを接続する接続線を生成する。
【００３０】
１．３  監視制御画面
図３は、実施の形態１の監視制御画面の作成支援装置に表示される監視制御画面を図示する図である。
【００３１】
図３に図示される監視制御画面１２００は、電力系統を監視し制御するために用いられる。
【００３２】
監視制御画面１２００には、単線結線図１２２０が描画される。単線結線図１２２０が単線結線図１２２０以外の単線結線図に置き換えられてもよい。単線結線図１２２０は、監視され制御される電力系統を表現し、表現する電力系統に備えられる複数の設備をそれぞれ表現する複数の描画要素１２４０を含む。複数の描画要素１２４０は、機器を表現する描画要素１２６０、母線を表現する描画要素１２６２、及び送電線を表現する描画要素１２６４を備える。複数の描画要素１２４０が、これらの描画要素以外の描画要素を含んでもよい。機器を表現する描画要素１２６０は、開閉器を表現する描画要素１２８０、及び変圧器を描画する描画要素１２８２を含む。機器を表現する描画要素１２６０がこれらの描画要素以外の描画要素を含んでもよい。母線を表現する描画要素１２６２は、高圧側の母線を表現する描画要素１３００、及び低圧側の母線を表現する描画要素１３０２を含む。母線を表現する描画要素１２６２がこれらの描画要素以外の描画要素を含んでもよい。送電線を表現する描画要素１２６４は、接続線と呼ばれる。機器を表現する描画要素１２６０は、記号である。母線を表現する描画要素１２６２は、線である。
【００３３】
図２に図示される描画要素１１２０は、複数の描画要素１２４０に含まれるひとつの描画要素である。図２に図示される特殊描画要素１１２２は、複数の描画要素１２４０に含まれるふたつ以上の描画要素を含む集合体であり、フィーダー等の特定の設備を表現する。図２に図示される特殊描画要素１１２２が、複数の描画要素１２４０に含まれるひとつの描画要素であってもよい。特殊描画要素１１２２がフィーダーを表現する場合は、特殊描画要素１１２２は、図３に図示されるように、開閉器を表現する描画要素１２８０、及び接続線１２６４を含む。
【００３４】
１．４  フィーダー
図４及び図５は、実施の形態１の監視制御画面の作成支援装置に表示される特殊描画要素を図示する図である。
【００３５】
図４に図示される特殊描画要素１４００により表現されるフィーダーは、引き込み用フィーダーであり、外部電源系統からの電力の引き込みを行い、高圧側の母線に電気的に接続される。図４には、高圧側の母線を表現する描画要素１３００と引き込み用フィーダーを表現する特殊描画要素１４００との接続関係も図示されている。
【００３６】
図５に図示される特殊描画要素１４０２により表現されるフィーダーは、送り出し用フィーダーであり、外部電源系統への電力の送り出しを行い、低圧側の母線に電気的に接続される。図５には、低圧側の母線を表現する描画要素１３０２と送り出し用フィーダーを表現する特殊描画要素１４０２との接続関係も図示されている。
【００３７】
１．５  監視制御画面を作成するための動作
図６は、実施の形態１の監視制御画面の作成支援装置により実行される、監視制御画面を作成するための動作の流れを図示するフローチャートである。
【００３８】
図６に図示されるステップＳ１０１においては、入力装置１０４４が、複数の描画要素１２４０を監視制御画面１２００に配置する操作を受け付ける。また、画面表示部１１００が、受け付けられた操作にしたがって、複数の描画要素１２４０を監視制御画面１２００に配置する。画面表示部１１００は、複数の描画要素１２４０を監視制御画面１２００に配置する際に、図２に図示される描画要素１１２０及び特殊描画要素１１２２を監視制御画面１２００に配置する。画面表示部１１００は、記憶装置１０４２に記憶された、特殊描画要素１１２２を定義する情報にしたがって、特殊描画要素１１２２に含まれる少なくともひとつの描画要素を特定する。又は、画面表示部１１００は、入力装置１０４４により受け付けられた、配置された複数の描画要素１２４０から特殊描画要素１１２２に含められる少なくともひとつの描画要素を選択する操作にしたがって、特殊描画要素１１２２に含まれる少なくともひとつの描画要素を特定する。
【００３９】
続くステップＳ１０２においては、接続可否判定部１１０２が、描画要素１１２０と特殊描画要素１１２２とを接続することが要求されたことを検出する。接続可否判定部１１０２は、描画要素１１２０と特殊描画要素１１２２とを接続する操作を入力装置１０４４が受け付けた場合に、描画要素１１２０と特殊描画要素１１２２とを接続することが要求されたことを検出する。又は、接続可否判定部１１０２は、描画要素１１２０と特殊描画要素１１２２とを接続する接続線を生成することを接続線生成部１１０４が要求した場合に、描画要素１１２０と特殊描画要素１１２２とを接続することが要求されたことを検出する。
【００４０】
続くステップＳ１０３においては、接続可否判定部１１０２が、描画要素１１２０と特殊描画要素１１２２とを接続可能であるか否かを判定する。描画要素１１２０と特殊描画要素１１２２とを接続可能であると接続可否判定部１１０２が判定した場合は、ステップＳ１０４が実行される。描画要素１１２０と特殊描画要素１１２２とを接続可能でないと接続可否判定部１１０２が判定した場合は、ステップＳ１０５が実行される。
【００４１】
接続可否判定部１１０２は、描画要素１１２０により表現される設備と特殊描画要素１１２２により表現される少なくともひとつの設備とを電気的に接続可能である場合に、描画要素１１２０と特殊描画要素１１２２とを接続可能であると判定する。例えば、高圧側の母線と引き込み用フィーダーとは電気的に接続可能であるため、接続可否判定部１１０２は、描画要素１１２０が高圧側の母線を表現する描画要素１３００であり、特殊描画要素１１２２が引き込み用フィーダーを表現する特殊描画要素１４００である場合に、描画要素１１２０と特殊描画要素１１２２とを接続可能であると判定する。また、低圧側の母線と送り出し用フィーダーとは電気的に接続可能であるため、接続可否判定部１１０２は、描画要素１１２０が低圧側の母線を表現する描画要素１３０２であり、特殊描画要素１１２２が送り出し用フィーダーを表現する特殊描画要素１４０２である場合に、描画要素１１２０と特殊描画要素１１２２とを接続可能であると判定する。
【００４２】
図７は、実施の形態１の監視制御画面の作成支援装置に記憶された判定テーブルの例を図示する図である。
【００４３】
図７に図示される判定テーブル１５００は、記憶装置１０４２に記憶される。判定テーブル１５００の各行の第２列目及び第１列目には、それぞれ描画要素の型情報１５２０、及び特殊描画要素の型情報１５２２が記述される。各行の第２列目に記述された描画要素の型情報１５２０は、各行の第１列目に記述された特殊描画要素の型情報１５２２に対応づけられる。各行に記述された描画要素の型情報１５２０及び特殊描画要素の型情報１５２２は、描画要素１１２０及び特殊描画要素１１２２がそれぞれ記述された描画要素の型情報１５２０及び特殊描画要素の型情報１５２２を有する場合に描画要素１１２０と特殊描画要素１１２２とを接続可能であることを示す。描画要素の型情報１５２０は、「高圧側の母線」「低圧側の母線」等の、描画要素１１２０により表現される設備の種類を示す文字列情報である。特殊描画要素の型情報１５２２は、「引き込み用フィーダー」「送り出しフィーダー」等の、特殊描画要素１１２２により表現される設備の種類を示す文字列情報である。
【００４４】
描画要素１１２０と特殊描画要素１１２２とを接続可能であるか否かを判定する際に判定テーブル１５００が参照される場合は、監視制御画面１２００に配置される各描画要素１１２０の型情報が各描画要素１１２０に関連づけられた状態で記憶装置１０４２に記憶される。また、監視制御画面１２００に配置される各特殊描画要素１１２２の型情報が各特殊描画要素１１２２に関連づけられた状態で記憶装置１０４２に記憶される。
【００４５】
接続可否判定部１１０２は、描画要素１１２０と特殊描画要素１１２２とを接続することが要求された場合に、描画要素１１２０に関連づけられた描画要素１１２０の型情報、及び特殊描画要素１１２２に関連づけられた特殊描画要素１１２２の型情報を記憶装置１０４２から読み出す。
【００４６】
また、接続可否判定部１１０２は、判定テーブル１５００を参照し、判定テーブル１５００の第１列目に記述された特殊描画要素の型情報１５２２に対して検索を行い、判定テーブル１５００の第１列目に記述された特殊描画要素の型情報１５２２の中から、読み出した特殊描画要素１１２２の型情報と一致する特殊描画要素の型情報１５２２を特定する。
【００４７】
また、接続可否判定部１１０２は、特定した特殊描画要素の型情報１５２２が記述された行と同じ行に記述された描画要素の型情報１５２０と読み出した描画要素１１２０の型情報とが一致するか否かを判定する。接続可否判定部１１０２は、記述された描画要素の型情報１５２０と読み出した描画要素１１２０の型情報とが一致する場合は、描画要素１１２０と特殊描画要素１１２２とを接続可能であると判定する。一方、接続可否判定部１１０２は、記述された描画要素の型情報１５２０と読み出した描画要素１１２０の型情報とが一致しない場合は、描画要素１１２０と特殊描画要素１１２２とを接続可能でないと判定する。
【００４８】
図７に図示される判定テーブル１５００においては、描画要素の型情報１５２０が、母線の種類を示す文字情報となっており、特殊描画要素の型情報１５２２が、フィーダーの種類を示す文字列情報となっている。母線の種類を示す文字情報が、母線への接続可否のみを示す情報に置き換えられてもよい。
【００４９】
図６に図示されるステップＳ１０４においては、接続線生成部１１０４が、描画要素１１２０と特殊描画要素１１２２とを接続する接続線１２６４を生成する。また、接続線生成部１１０４が、生成した接続線１２６４を複数の描画要素１２４０に追加する。追加された接続線１２６４は、監視制御画面１２００に描画され、描画要素１１２０と特殊描画要素１１２２との間に配置される。
【００５０】
ステップＳ１０５においては、接続線生成部１１０４が、描画要素１１２０と特殊描画要素１１２２とを接続することが要求されたことを無視し、描画要素１１２０と特殊描画要素１１２２とを接続する接続線１２６４を生成しない。また、接続線生成部１１０４が、接続先エラーを示すダイアログをディスプレイに表示させる。
【００５１】
１．６  実施の形態１の利点
実施の形態１の監視制御画面の作成支援装置１０００においては、監視制御画面１２００が作成される際に、不適切な接続線が作成されることを抑制することができ、不適切な接続線が作成されたことに起因する手戻りが発生することを抑制することができる。このため、監視制御画面１２００を効率的に作成することができる。
【００５２】
また、実施の形態１の監視制御画面の作成支援装置１０００においては、接続線生成部１１０４に接続線１２６４を自動的に生成させることにより、接続線１２６４の作成をより容易にすることができる。
【００５３】
２  実施の形態２
２．１  実施の形態１との相違
図１は、実施の形態２の監視制御画面の作成支援装置のハードウェアを図示するブロック図でもある。
【００５４】
図８は、実施の形態２の監視制御画面の作成支援装置を図示するブロック図である。
【００５５】
図１及び図８に図示される実施の形態２の監視制御画面の作成支援装置２０００は、複製生成部２０２０をさらに備える点で、実施の形態１の監視制御画面の作成支援装置１０００と相違する。複製生成部２０２０は、ＣＰＵ１０４０がプログラムを実行することにより構成される。
【００５６】
以下では、上記の相違に関連して実施の形態２の監視制御画面の作成支援装置２０００において採用された構成が説明される。説明されない構成については、実施の形態１の監視制御画面の作成支援装置１０００において採用された構成が、実施の形態２の監視制御画面の作成支援装置２０００においても採用される。
【００５７】
複製生成部２０２０は、複数の描画要素１２４０に含まれる既存の特殊描画要素の複製を作成する。また、複製生成部２０２０は、生成した既存の特殊描画要素の複製を、描画される複数の描画要素１２４０に追加する。
【００５８】
接続線生成部１１０４は、複数の描画要素１２４０に含まれる既存の描画要素と生成された既存の特殊描画要素の複製とを接続する新たな接続線を生成する。既存の特殊描画要素の複製と接続される既存の描画要素は、複製が作成された既存の特殊描画要素と接続されていた既存の描画要素である。また、接続線生成部１１０４は、生成した新たな接続線を、描画される複数の描画要素１２４０に追加する。
【００５９】
２．２  監視制御画面の変化
図９は、実施の形態２の監視制御画面の作成支援装置に表示される、変化前の監視制御画面の一部を図示する図である。図１０は、実施の形態２の監視制御画面の作成支援装置に表示される、変化後の監視制御画面の一部の例を図示する。
【００６０】
図９に図示される、変化前の監視制御画面の一部２０４０には、複数の描画要素１２４０に含まれる既存の描画要素２０６０、既存の特殊描画要素２０６２及び既存の接続線２０６４が描画されている。既存の描画要素２０６０と既存の特殊描画要素２０６２とは、既存の接続線２０６４により接続されている。既存の描画要素２０６０は、母線を表現する。既存の特殊描画要素２０６２は、フィーダーを表現する。
【００６１】
図１０に図示される、変化後の監視制御画面の一部２０８０には、既存の描画要素２０６０、既存の特殊描画要素２０６２及び既存の接続線２０６４が描画されており、既存の特殊描画要素２０６２の複製２１００及び新たな接続線２１０２がさらに描画されている。既存の描画要素２０６０と既存の特殊描画要素２０６２の複製２１００とは、新たな接続線２１０２により接続されている。既存の特殊描画要素２０６２の複製２１００は、フィーダーを表現する。
【００６２】
２．３  監視制御画面を変化させるための動作
図１１は、実施の形態２の監視制御画面の作成支援装置により実行される、図９及び図１０に図示されるように監視制御画面を変化させるための動作の流れを図示するフローチャートである。
【００６３】
図１１に図示されるステップＳ２０１においては、入力装置１０４４が、監視制御画面１２００に配置された既存の特殊描画要素から、図９に図示される、複製２１００が作成される既存の特殊描画要素２０６２を選択する操作を受け付ける。また、複製生成部２０２０が、図１０に図示されるように、選択された既存の特殊描画要素２０６２の複製２１００を作成する。また、複製生成部２０２０が、作成した既存の特殊描画要素２０６２の複製２１００を複数の描画要素１２４０に追加する。追加された既存の特殊描画要素２０６２の複製２１００は、監視制御画面１２００に描画される。
【００６４】
続くステップＳ２０２においては、複製生成部２０２０が、既存の特殊描画要素２０６２の複製２１００を作成したタイミングに、複製２１００が作成された既存の特殊描画要素２０６２が既存の接続線２０６４により既存の描画要素２０６０と接続されているか否かを判定する。既存の特殊描画要素２０６２が既存の接続線２０６４により既存の描画要素２０６０と接続されていると複製生成部２０２０が判定した場合は、ステップＳ２０３が実行される。既存の特殊描画要素２０６２が既存の接続線２０６４により既存の描画要素２０６０と接続されていないと複製生成部２０２０が判定した場合は、監視制御画面１２００を変化させるための動作が終了する。
【００６５】
ステップＳ２０３においては、複製生成部２０２０が、複製２１００が作成された既存の特殊描画要素２０６２と接続された既存の描画要素２０６０が母線を表現するか否かを判定する。既存の描画要素２０６０が母線を表現すると複製生成部２０２０が判定した場合は、ステップＳ２０４が実行される。描画要素２０６０が母線を表現しないと複製生成部２０２０が判定した場合は、監視制御画面１２００を変化させるための動作が終了する。
【００６６】
ステップＳ２０４においては、接続線生成部１１０４が、既存の描画要素２０６０と既存の特殊描画要素２０６２の複製２１００とを接続する新たな接続線２１０２を生成する。また、接続線生成部１１０４が、生成した新たな接続線２１０２を複数の描画要素１２４０に追加する。追加された新たな接続線２１０２は、監視制御画面１２００に描画され、既存の描画要素２０６０と既存の特殊描画要素２０６２の複製２１００との間に配置される。新たな接続線２１０２の位置は、既存の特殊描画要素２０６２の複製２１００の位置により決まる。新たな接続線２１０２が延びる方向ＤＶは、既存の描画要素２０６０が延びる方向ＤＨと垂直をなす。
【００６７】
ステップＳ２０３の後であってステップＳ２０４の前に、接続可否判定部１１０２が、既存の描画要素２０６０と既存の特殊描画要素２０６２の複製２１００とを接続可能であるか否かを判定してもよい。既存の描画要素２０６０と既存の特殊描画要素２０６２の複製２１００とを接続可能であるか否かが判定される際に、判定テーブル１５００が参照されてもよい。既存の描画要素２０６０と既存の特殊描画要素２０６２の複製２１００とを接続可能であるか否かを判定することが省略されてもよい。なぜならば、既存の描画要素２０６０と既存の特殊描画要素２０６２とを既存の接続線２０６４により接続する際に既存の描画要素２０６０と既存の特殊描画要素２０６２とを接続可能であるか否かが既に判定されているためである。
【００６８】
２．４  実施の形態２の利点
実施の形態２の監視制御画面の作成支援装置２０００においても、実施の形態１の監視制御画面の作成支援装置１０００と同様に、監視制御画面１２００が作成される際に、不適切な接続線が作成されることを抑制することができ、不適切な接続線が作成されたことに起因する手戻りが発生することを抑制することができる。このため、監視制御画面１２００を効率的に作成することができる。
【００６９】
加えて、実施の形態２の監視制御画面の作成支援装置２０００においては、既存の描画要素２０６０と既存の特殊描画要素２０６２の複製２１００とを接続する新たな接続線２１０２が自動的に生成される。このため、新たな接続線２１０２を手作業で作成する必要がなく、監視制御画面１２００をさらに効率的に作成することができる。この効果は、図３に図示される監視制御画面１２００のような、母線を表現する描写要素と接続される同種の多数の特殊描写要素を備える単線結線図が描画された監視制御画面を作成する場合に特に顕著になる。
【００７０】
３  実施の形態３
３．１  実施の形態１との相違
図１は、実施の形態３の監視制御画面の作成支援装置のハードウェアを図示するブロック図でもある。
【００７１】
図１２は、実施の形態３の監視制御画面の作成支援装置を図示するブロック図である。
【００７２】
図１及び図１２に図示される実施の形態３の監視制御画面の作成支援装置３０００は、母線生成部３０２０をさらに備える点で、実施の形態１の監視制御画面の作成支援装置１０００と相違する。母線生成部３０２０は、ＣＰＵ１０４０がプログラムを実行することにより構成される。
【００７３】
以下では、上記の相違に関連して実施の形態３の監視制御画面の作成支援装置３０００において採用された構成が説明される。説明されない構成については、実施の形態１の監視制御画面の作成支援装置１０００において採用された構成が、実施の形態３の監視制御画面の作成支援装置３０００においても採用される。
【００７４】
母線生成部３０２０は、複数の描画要素１２４０に含まれる複数の既存の特殊描画要素と接続可能である新たな描画要素を生成する。また、母線生成部３０２０は、生成した新たな描画要素を、表示される複数の描画要素１２４０に追加する。生成される新たな描画要素は、母線を表現する。
【００７５】
接続線生成部１１０４は、生成された新たな描画要素と複数の既存の特殊描画要素とをそれぞれ接続する複数の新たな接続線を生成する。また、接続線生成部１１０４は、生成した複数の新たな接続線を、表示される複数の描画要素１２４０に追加する。
【００７６】
３．２  監視制御画面の変化
図１３は、実施の形態３の監視制御画面の作成支援装置に表示される、変化前の監視制御画面の一部を図示する。図１４は、実施の形態３の監視制御画面の作成支援装置に表示される、変化後の監視制御画面の一部を図示する。
【００７７】
図１３に図示される、変化前の監視制御画面の一部３０４０には、複数の描画要素１２４０に含まれる複数の既存の特殊描画要素３０６０が描画されている。複数の既存の特殊描画要素３０６０は、同種の複数のフィーダーをそれぞれ表現する同種の複数の特殊描画要素である。
【００７８】
図１４に図示される、変化後の監視制御画面の一部３０８０には、複数の既存の特殊描画要素３０６０が描画されており、新たな描画要素３１００、及び複数の新たな接続線３１０２がさらに描画されている。新たな描画要素３１００と複数の既存の特殊描画要素３０６０とは、それぞれ複数の新たな接続線３１０２により接続されている。新たな描画要素３１００は、母線を表現する。
【００７９】
３．３  監視制御画面を変化させるための動作
図１５は、実施の形態３の監視制御画面の作成支援装置により実行される、図１３及び図１４に図示されるように監視制御画面を変化させるための動作の流れを図示するフローチャートである。
【００８０】
図１５に図示されるステップＳ３０１においては、入力装置１０４４が、複数の特殊描画要素を監視制御画面１２００に並列に配置する操作を受け付ける。また、画面表示部１１００が、受け付けられた操作にしたがって、複数の特殊描画要素を監視制御画面１２００に並列に配置する。配置される複数の特殊描画要素は、新規に作成されてもよいし、既に配置されている特殊描画要素を複製することにより作成されてもよい。
【００８１】
続くステップＳ３０２においては、入力装置１０４４が、配置された複数の既存の特殊描画要素から、図１３に図示される、接続対象となる複数の既存の特殊描画要素３０６０を選択する操作を受け付ける。選択される複数の既存の特殊描画要素３０６０は、同種の複数のフィーダーをそれぞれ表現する同種の複数の特殊描画要素である。複数の既存の特殊描画要素３０６０に代えて、ひとつの既存の特殊描画要素３０６０が選択されてもよい。選択された複数の既存の特殊描画要素３０６０は、母線を表現する既存の描画要素と接続されておらず、後に生成される母線を表現する新たな描画要素３１００と接続される接続対象となる。
【００８２】
続くステップＳ３０３においては、母線生成部３０２０が、選択された複数の既存の特殊描画要素３０６０と接続可能である新たな描画要素３１００を生成する。また、母線生成部３０２０が、生成した新たな描画要素３１００を複数の描画要素１２４０に追加する。追加された新たな描画要素３１００は、監視制御画面１２００に描画される。
【００８３】
母線生成部３０２０は、新たな描画要素３１００を生成する際に、接続可否判定部１１０２を経由して、判定テーブル１５００を参照し、選択された複数の既存の特殊描画要素３０６０と接続可能である描画要素の型情報１５２０を特定する。また、母線生成部３０２０は、特定した描画要素の型情報１５２０を有する新たな描画要素３１００を生成する。
【００８４】
続くステップＳ３０４においては、接続線生成部１１０４が、生成された新たな描画要素３１００と選択された複数の既存の特殊描画要素３０６０とをそれぞれ接続する複数の新たな接続線３１０２を生成する。複数の既存の特殊描画要素３０６０に代えてひとつの既存の特殊描画要素３０６０が選択される場合は、複数の新たな接続線３１０２に代えてひとつの新たな接続線３１０２が生成される。また、接続線生成部１１０４が、生成した複数の新たな接続線３１０２を複数の描画要素１２４０に追加する。追加された複数の新たな接続線３１０２は、監視制御画面１２００に描画され、それぞれ新たな描画要素３１００と複数の既存の特殊描画要素３０６０との間に配置される。
【００８５】
３．４  実施の形態３の利点
実施の形態３の監視制御画面の作成支援装置３０００においても、実施の形態１の監視制御画面の作成支援装置１０００と同様に、監視制御画面１２００が作成される際に、不適切な接続線が作成されることを抑制することができ、不適切な接続線が作成されたことに起因する手戻りが発生することを抑制することができる。このため、監視制御画面１２００を効率的に作成することができる。
【００８６】
加えて、実施の形態３の監視制御画面の作成支援装置３０００においては、複数の既存の特殊描画要素３０６０と接続可能である新たな描画要素３１００が自動的に生成され、新たな描画要素３１００と複数の既存の特殊描画要素３０６０とをそれぞれ接続する複数の新たな接続線３１０２が自動的に生成される。このため、新たな描画要素３１００、及び複数の新たな接続線３１０２を手作業で作成する必要がなく、監視制御画面１２００をさらに効率的に作成することができる。
【００８７】
４  実施の形態４
４．１  実施の形態３との相違
図１は、実施の形態４の監視制御画面の作成支援装置のハードウェアを図示するブロック図でもある。
【００８８】
図１２は、実施の形態４の監視制御画面の作成支援装置を図示するブロック図でもある。
【００８９】
図１及び図１２に図示される実施の形態４の監視制御画面の作成支援装置４０００は、母線生成部３０２０が、選択された複数の既存の特殊描画要素３０６０を整列させる点で、実施の形態３の監視制御画面の作成支援装置３０００と相違する。
【００９０】
以下では、上記の相違に関連して実施の形態４の監視制御画面の作成支援装置４０００において採用された構成が説明される。説明されない構成については、実施の形態３の監視制御画面の作成支援装置３０００において採用された構成が、実施の形態４の監視制御画面の作成支援装置４０００においても採用される。
【００９１】
４．２  監視制御画面の変化
図１６は、実施の形態４の監視制御画面の作成支援装置に表示される、変化前の監視制御画面の一部を図示する図である。図１７は、実施の形態４の監視制御画面の作成支援装置に表示される、１次変化後の監視制御画面の一部を図示する図である。図１８は、実施の形態４の監視制御画面の作成支援装置に表示される、２次変化後の監視制御画面の一部を図示する図である。
【００９２】
図１６に図示される、変化前の監視制御画面の一部４０２０には、複数の描画要素１２４０に含まれる複数の既存の特殊描画要素３０６０が描画されている。変化前の監視制御画面の一部４０２０においては、複数の既存の特殊描画要素３０６０は、整列させられていない。
【００９３】
図１７に図示される、１次変化後の監視制御画面の一部４０６０には、複数の既存の特殊描画要素３０６０が描画されている。１次変化後の監視制御画面の一部４０６０においては、複数の既存の特殊描画要素３０６０は、整列させられている。
【００９４】
図１８に図示される、２次変化後の監視制御画面の一部４０８０には、複数の既存の特殊描画要素３０６０が描画されており、新たな描画要素３１００及び複数の新たな接続線３１０２がさらに描画されている。２次変化後の監視制御画面の一部４０８０においては、複数の既存の特殊描画要素３０６０は、整列させられている。新たな描画要素３１００は、母線を表現する。新たな描画要素３１００と複数の既存の特殊描画要素３０６０とは、それぞれ複数の新たな接続線３１０２により接続されている。
【００９５】
４．３  監視制御画面を変化させるための動作
図１９は、実施の形態４の監視制御画面の作成支援装置により実行される、図１６、図１７及び図１８に図示されるように監視制御画面を変化させるための動作の流れを図示するフローチャートである。
【００９６】
図１９に図示されるステップＳ４０１から及びＳ４０４までにおいては、それぞれ図１５に図示されるステップＳ３０１からＳ３０４までにおいて行われた処理と同様の処理が行われる。ステップＳ４０２においては、複数の既存の特殊描画要素３０６０が選択される。
【００９７】
ステップＳ４０２の後であってステップＳ４０３の前に実行されるステップＳ４０５においては、母線生成部３０２０が、選択された複数の既存の特殊描画要素３０６０を整列させる。これにより、複数の既存の特殊描画要素３０６０は、後に生成される新たな描画要素３１００が伸びる方向ＤＨについて、図１６に図示される不均一に配列された状態から、図１７に図示される均一に配列された状態となる。また、複数の既存の特殊描画要素３０６０は、方向ＤＨと垂直をなす方向ＤＶについて、図１６に図示される互いに異なる位置に配置された状態から、図１７に図示される同じ位置に配列された状態となる。
【００９８】
４．４  実施の形態４の利点
実施の形態４の監視制御画面の作成支援装置４０００においても、実施の形態１の監視制御画面の作成支援装置１０００と同様に、監視制御画面１２００が作成される際に、不適切な接続線が作成されることを抑制することができ、不適切な接続線が作成されたことに起因する手戻りが発生することを抑制することができる。このため、監視制御画面１２００を効率的に作成することができる。
【００９９】
加えて、実施の形態４の監視制御画面の作成支援装置４０００においては、新たな描画要素３１００と接続される複数の既存の特殊描画要素３０６０が自動的に整列させられる。このため、複数の既存の特殊描画要素３０６０を手作業で整列させる必要がなく、監視制御画面１２００をさらに効率的に作成することができる。監視制御画面１２００の作成においては、母線に接続される多数のフィーダーをそれぞれ表現する多数の特殊描画要素を並列に配置しなければならないことが多いので、複数の既存の特殊描画要素３０６０を手作業で整列させる必要がないことは、監視制御画面１２００を効率的に作成することに寄与する。
【０１００】
５  実施の形態５
５．１  実施の形態３との相違
図１は、実施の形態５の監視制御画面の作成支援装置のハードウェアを図示するブロック図でもある。
【０１０１】
図１２は、実施の形態５の監視制御画面の作成支援装置を図示するブロック図でもある。
【０１０２】
図１及び図１２に図示される実施の形態５の監視制御画面の作成支援装置５０００は、母線生成部３０２０が、母線を表現する描画要素と接続される特殊描画要素を、母線を表現する描画要素が伸びる方向について母線を表現する描画要素が存在する範囲外に移動することが要求された場合に、母線を表現する描画要素を延長する点で、実施の形態３の監視制御画面の作成支援装置３０００と相違する。
【０１０３】
以下では、上記の相違に関連して実施の形態５の監視制御画面の作成支援装置５０００において採用された構成が説明される。説明されない構成については、実施の形態３の監視制御画面の作成支援装置３０００において採用された構成が、実施の形態５の監視制御画面の作成支援装置５０００においても採用される。
【０１０４】
５．２  監視制御画面の変化
図２０は、実施の形態５の監視制御画面の作成支援装置に表示される、変化前の監視制御画面の一部を図示する図である。図２１は、実施の形態５の監視制御画面の作成支援装置に表示される、変化後の監視制御画面の一部を図示する図である。
【０１０５】
図２０に図示される、変化前の監視制御画面の一部５０２０には、既存の描画要素５０４０、既存の特殊描画要素５０４２、及び既存の接続線５０４４が描画されている。既存の描画要素５０４０は、母線を表現する。既存の特殊描画要素５０４２は、フィーダーを表現する。既存の接続線５０４４は、既存の描画要素５０４０と既存の特殊描画要素５０４２とを接続する。既存の特殊描画要素５０４２は、既存の描画要素５０４０が伸びる方向ＤＨについて既存の描画要素５０４０が存在する範囲内に配置されている。
【０１０６】
図２１に図示される、変化後の監視制御画面の一部５０６０には、延長後の描画要素５０８０、移動後の特殊描画要素５０８２、及び接続線５０８４が描画されている。延長後の描画要素５０８０は、母線を表現する。移動後の特殊描画要素５０８２は、フィーダーを表現する。接続線５０８４は、延長後の描画要素５０８０と移動後の特殊描画要素５０８２とを接続する。移動後の特殊描画要素５０８２は、延長後の描画要素５０８０が伸びる方向ＤＨについて延長後の描画要素５０８０が存在する範囲内に配置されている。
【０１０７】
５．３  監視制御画面を変化させるための動作
図２２は、実施の形態５の監視制御画面の作成支援装置により実行される、図２０及び図２１に図示されるように監視制御画面を変化させるための動作の流れを図示するフローチャートである。
【０１０８】
図２２に図示されるステップＳ５０１においては、入力装置１０４４が、既存の描画要素５０４０が伸びる方向ＤＨについて既存の描画要素５０４０が存在する範囲外に既存の特殊描画要素５０４２を移動させる操作を受け付ける。また、画面表示部１１００が、受け付けられた操作にしたがって、図２０に図示されるように、既存の描画要素５０４０が伸びる方向について既存の描画要素５０４０が存在する範囲外に既存の特殊描画要素５０４２を移動させる。移動後の特殊描画要素５０８２は、既存の描画要素５０４０が存在する範囲より右側に配置される。移動後の特殊描画要素５０８２が、既存の描画要素５０４０が存在する範囲より左側に配置されてもよい。
【０１０９】
画面表示部１１００は、既存の特殊描画要素５０４２を移動する際に、描画される特殊描画要素の座標情報を、既存の特殊描画要素５０４２の座標情報から移動後の特殊描画要素５０８２の座標情報へ更新する。
【０１１０】
続くステップＳ５０２においては、母線生成部３０２０が、既存の描画要素５０４０と既存の特殊描画要素５０４２とが接続されているか否かを判定する。既存の描画要素５０４０と既存の特殊描画要素５０４２とが接続されていると母線生成部３０２０が判定した場合は、ステップＳ５０３が実行される。既存の描画要素５０４０と既存の特殊描画要素５０４２とが接続されていないと母線生成部３０２０が判定した場合は、監視制御画面１２００を変化させるための動作が終了する。
【０１１１】
ステップＳ５０３においては、母線生成部３０２０が、既存の描画要素５０４０を延長する。移動後の特殊描画要素５０８２は、延長後の描画要素５０８０が伸びる方向ＤＨについて延長後の描画要素５０８０が存在する範囲内に配置される。移動後の特殊描画要素５０８２が当該範囲外に配置されてもよい。
【０１１２】
母線生成部３０２０は、既存の描画要素５０４０を延長する際に、更新された特殊描画要素の座標情報を取得し、取得した特殊描画要素の座標情報に基づいて描画される描画要素の長さを既存の描画要素５０４０の長さから延長後の描画要素５０８０の長さへ更新する。したがって、描画要素の長さの変化は、移動後の特殊描画要素５０８２の位置に応じて変化する。
【０１１３】
続くステップＳ５０４においては、接続線生成部１１０４が、延長後の描画要素５０８０と移動後の特殊描画要素５０８２とを再接続する接続線５０８４を生成する。接続線５０８４が生成される際には、既存の接続線５０４４が削除され、新たな接続線５０８４が生成される。又は、描画される接続線の座標情報が既存の接続線５０４４の座標情報から接続線５０８４の座標情報へ更新される。また、接続線生成部１１０４は、生成した接続線５０８４を複数の描画要素１２４０に追加する。追加された接続線５０８４は、監視制御画面１２００に描画され、延長後の描画要素５０８０と移動後の特殊描画要素５０８２との間に配置される。
【０１１４】
５．４  実施の形態５の利点
実施の形態５の監視制御画面の作成支援装置５０００においても、実施の形態１の監視制御画面の作成支援装置１０００と同様に、監視制御画面１２００が作成される際に、不適切な接続線が作成されることを抑制することができ、不適切な接続線が作成されたことに起因する手戻りが発生することを抑制することができる。このため、監視制御画面１２００を効率的に作成することができる。
【０１１５】
加えて、実施の形態５の監視制御画面の作成支援装置５０００においては、既存の特殊描画要素５０４２を移動した後に既存の描画要素５０４０が自動的に延長される。このため、既存の描画要素５０４２の長さを手作業で調整する必要がなくなり、監視制御画面１２００をさらに効率的に作成することができる。
【０１１６】
なお、本発明は、その発明の範囲内において、実施の形態を適宜、変形、省略することが可能である。
【０１１７】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１１８】
１０００，２０００，３０００，４０００，５０００  監視制御画面の作成支援装置、１１００  画面表示部、１１０２  接続可否判定部、１１０４  接続線生成部、１１２０  描画要素、１１２２  特殊描画要素、１２００  監視制御画面、１２２０  単線結線図、１２４０  複数の描画要素、２０２０  複製生成部、３０２０  母線生成部。
【図１】
2020016920.tif 000003
【図２】
2020016920.tif 000004
【図３】
2020016920.tif 000005
【図４】
2020016920.tif 000006
【図５】
2020016920.tif 000007
【図６】
2020016920.tif 000008
【図７】
2020016920.tif 000009
【図８】
2020016920.tif 000010
【図９】
2020016920.tif 000011
【図１０】
2020016920.tif 000012
【図１１】
2020016920.tif 000013
【図１２】
2020016920.tif 000014
【図１３】
2020016920.tif 000015
【図１４】
2020016920.tif 000016
【図１５】
2020016920.tif 000017
【図１６】
2020016920.tif 000018
【図１７】
2020016920.tif 000019
【図１８】
2020016920.tif 000020
【図１９】
2020016920.tif 000021
【図２０】
2020016920.tif 000022
【図２１】
2020016920.tif 000023
【図２２】
2020016920.tif 000024
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
電力系統に備えられる複数の設備をそれぞれ表現する複数の描画要素（１２４０）を備える単線結線図（１２２０）が描画された監視制御画面（１２００）をディスプレイに表示させる画面表示部（１１００）と、
前記複数の描画要素（１２４０）に含まれる描画要素（１１２０）と前記複数の描画要素（１２４０）に含まれる少なくともひとつの描画要素を含む特殊描画要素（１１２２）とを接続することが要求された場合に、接続可能である描画要素及び特殊描画要素の種類を示す判定テーブル（１５００）を参照して前記描画要素（１１２０）と前記特殊描画要素（１１２２）とを接続可能であるか否かを判定する接続可否判定部（１１０２）と、
前記接続可否判定部（１１０２）が前記描画要素（１１２０）と前記特殊描画要素（１１２２）とを接続可能であると判定した場合に、前記描画要素（１１２０）と前記特殊描画要素（１１２２）とを接続する接続線（１２６４）を生成し、前記接続線（１２６４）を前記複数の描画要素（１２４０）に追加する接続線生成部（１１０４）と、
を備える監視制御画面の作成支援装置（１０００，２０００，３０００，４０００，５０００）。
【請求項２】
前記接続可否判定部（１１０２）は、前記描画要素（１１２０）により表現される設備と前記特殊描画要素（１１２２）により表現される少なくともひとつの設備とを電気的に接続可能である場合に、前記描画要素（１１２０）と前記特殊描画要素（１１２２）とを接続可能であると判定する
請求項１の監視制御画面の作成支援装置（１０００，２０００，３０００，４０００，５０００）。
【請求項３】
前記複数の描画要素（１２４０）に既存の描画要素（２０６０）、及び前記既存の描画要素（２０６０）に接続された既存の特殊描画要素（２０６２）が含まれる場合に、前記既存の特殊描画要素（２０６２）の複製（２１００）を作成し、前記既存の特殊描画要素（２０６２）の複製（２１００）を前記複数の描画要素（１２４０）に追加する複製生成部（２０２０）
をさらに備え、
前記接続線生成部（１１０４）は、前記既存の描画要素（２０６０）と前記既存の特殊描画要素（２０６２）の複製（２１００）とを接続する新たな接続線（２１０２）を生成し、前記新たな接続線（２１０２）を前記複数の描画要素（１２４０）に追加する
請求項１又は２の監視制御画面の作成支援装置（２０００）。
【請求項４】
前記複数の描画要素（１２４０）に含まれる少なくともひとつの既存の特殊描画要素（３０６０）と接続可能であり母線を表現する新たな描画要素（３１００）を生成し、前記新たな描画要素（３１００）を前記複数の描画要素（１２４０）に追加する母線生成部（３０２０）
をさらに備える請求項１から３までのいずれかの監視制御画面の作成支援装置（３０００，４０００，５０００）。
【請求項５】
前記接続線生成部（１１０４）は、前記新たな描画要素（３１００）と前記少なくともひとつの既存の特殊描画要素（３０６０）とをそれぞれ接続する少なくともひとつの新たな接続線（３１０２）を生成し、前記少なくともひとつの新たな接続線（３１０２）を前記複数の描画要素（１２４０）に追加する
請求項４の監視制御画面の作成支援装置（３０００，４０００，５０００）。
【請求項６】
前記少なくともひとつの既存の特殊描画要素（３０６０）は、複数の既存の特殊描画要素（３０６０）であり、
前記母線生成部（３０２０）は、前記複数の既存の特殊描画要素（３０６０）を整列させる
請求項４又は５の監視制御画面の作成支援装置（４０００）。
【請求項７】
前記複数の描画要素（１２４０）に母線を表現する描画要素（５０４０）、及び前記母線を表現する描画要素（５０４０）と接続された既存の特殊描画要素（５０４２）が含まれ、前記既存の特殊描画要素（５０４２）を、前記母線を表現する描画要素（５０４０）が伸びる方向（ＤＨ）について前記母線を表現する描画要素（５０４０）が存在する範囲外に移動することが要求された場合に、前記母線を表現する描画要素（５０４０）を延長する母線生成部（３０２０）
をさらに備える請求項１から６までのいずれかの監視制御画面の作成支援装置（５０００）。
【請求項８】
前記接続可否判定部（１１０２）は、前記既存の描画要素（２０６０）と前記既存の特殊描画要素（２０６２）の複製（２１００）とを接続可能であるか否かを判定することを省略する
請求項３の監視制御画面の作成支援装置（２０００）。
【手続補正２】
【補正対象書類名】明細書
【補正対象項目名】００１４
【補正方法】変更
【補正の内容】
【００１４】
接続可否判定部は、複数の描画要素に含まれる描画要素と複数の描画要素に含まれる少なくともひとつの描画要素を含む特殊描画要素とを接続することが要求された場合に、接続可能である描画要素及び特殊描画要素の種類を示す判定テーブルを参照して描画要素と特殊描画要素とを接続可能であるか否かを判定する。
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
電力系統に備えられる複数の設備をそれぞれ表現する複数の描画要素（１２４０）を備える単線結線図（１２２０）が描画された監視制御画面（１２００）をディスプレイに表示させる画面表示部（１１００）と、
前記複数の描画要素（１２４０）に含まれる描画要素（１１２０）と前記複数の描画要素（１２４０）に含まれる少なくともひとつの描画要素を含む特殊描画要素（１１２２）とを接続することが要求された場合に、少なくともひとつの設備を表現する特殊描画要素と、設備を表現する描画要素とのうち、前記設備が電気的に接続可能な前記特殊描画要素と前記描画要素の組み合わせを記憶する判定テーブル（１５００）を参照して前記描画要素（１１２０）と前記特殊描画要素（１１２２）とを接続可能であるか否かを判定する接続可否判定部（１１０２）と、
前記接続可否判定部（１１０２）が前記描画要素（１１２０）と前記特殊描画要素（１１２２）とを接続可能であると判定した場合に、前記描画要素（１１２０）と前記特殊描画要素（１１２２）とを接続する接続線（１２６４）を生成し、前記接続線（１２６４）を前記複数の描画要素（１２４０）に追加する接続線生成部（１１０４）と、
を備える監視制御画面の作成支援装置（１０００，２０００，３０００，４０００，５０００）。
【請求項２】
前記接続可否判定部（１１０２）は、前記描画要素（１１２０）により表現される設備と前記特殊描画要素（１１２２）により表現される少なくともひとつの設備とを電気的に接続可能である場合に、前記描画要素（１１２０）と前記特殊描画要素（１１２２）とを接続可能であると判定する
請求項１の監視制御画面の作成支援装置（１０００，２０００，３０００，４０００，５０００）。
【請求項３】
前記複数の描画要素（１２４０）に既存の描画要素（２０６０）、及び前記既存の描画要素（２０６０）に接続された既存の特殊描画要素（２０６２）が含まれる場合に、前記既存の特殊描画要素（２０６２）の複製（２１００）を作成し、前記既存の特殊描画要素（２０６２）の複製（２１００）を前記複数の描画要素（１２４０）に追加する複製生成部（２０２０）
をさらに備え、
前記接続線生成部（１１０４）は、前記既存の描画要素（２０６０）と前記既存の特殊描画要素（２０６２）の複製（２１００）とを接続する新たな接続線（２１０２）を生成し、前記新たな接続線（２１０２）を前記複数の描画要素（１２４０）に追加する
請求項１又は２の監視制御画面の作成支援装置（２０００）。
【請求項４】
前記複数の描画要素（１２４０）に含まれる少なくともひとつの既存の特殊描画要素（３０６０）と接続可能であり母線を表現する新たな描画要素（３１００）を生成し、前記新たな描画要素（３１００）を前記複数の描画要素（１２４０）に追加する母線生成部（３０２０）
をさらに備える請求項１から３までのいずれかの監視制御画面の作成支援装置（３０００，４０００，５０００）。
【請求項５】
前記接続線生成部（１１０４）は、前記新たな描画要素（３１００）と前記少なくともひとつの既存の特殊描画要素（３０６０）とをそれぞれ接続する少なくともひとつの新たな接続線（３１０２）を生成し、前記少なくともひとつの新たな接続線（３１０２）を前記複数の描画要素（１２４０）に追加する
請求項４の監視制御画面の作成支援装置（３０００，４０００，５０００）。
【請求項６】
前記少なくともひとつの既存の特殊描画要素（３０６０）は、複数の既存の特殊描画要素（３０６０）であり、
前記母線生成部（３０２０）は、前記複数の既存の特殊描画要素（３０６０）を整列させる
請求項４又は５の監視制御画面の作成支援装置（４０００）。
【請求項７】
前記複数の描画要素（１２４０）に母線を表現する描画要素（５０４０）、及び前記母線を表現する描画要素（５０４０）と接続された既存の特殊描画要素（５０４２）が含まれ、前記既存の特殊描画要素（５０４２）を、前記母線を表現する描画要素（５０４０）が伸びる方向（ＤＨ）について前記母線を表現する描画要素（５０４０）が存在する範囲外に移動することが要求された場合に、前記母線を表現する描画要素（５０４０）を延長する母線生成部（３０２０）
をさらに備える請求項１から６までのいずれかの監視制御画面の作成支援装置（５０００）。
【請求項８】
前記接続可否判定部（１１０２）は、前記既存の描画要素（２０６０）と前記既存の特殊描画要素（２０６２）の複製（２１００）とを接続可能であるか否かを判定することを省略する
請求項３の監視制御画面の作成支援装置（２０００）。
【請求項９】
前記判定テーブル（１５００）に記憶される前記描画要素は、電圧の情報を含む設備を表現する
請求項１から８までのいずれかの監視制御画面の作成支援装置（１０００，２０００，３０００，４０００，５０００）。
【請求項１０】
前記描画要素（１１２０）が母線を表現する
請求項１から９までのいずれかの監視制御画面の作成支援装置（１０００，２０００，３０００，４０００，５０００）。
【手続補正２】
【補正対象書類名】明細書
【補正対象項目名】００１４
【補正方法】変更
【補正の内容】
【００１４】
接続可否判定部は、複数の描画要素に含まれる描画要素と複数の描画要素に含まれる少なくともひとつの描画要素を含む特殊描画要素とを接続することが要求された場合に、少なくともひとつの設備を表現する特殊描画要素と、設備を表現する描画要素とのうち、設備が電気的に接続可能な特殊描画要素と描画要素の組み合わせを記憶する判定テーブルを参照して描画要素と特殊描画要素とを接続可能であるか否かを判定する。
【国際調査報告】
2020016920.tif 000025
2020016920.tif 000026
2020016920.tif 000027